(57)【要約】【課題】リモコン本体内の制御用基板等の弱耐水性部品を水濡れから防ぐことが可能なリモコンを提供する。【解決手段】このリモコン１００は、トイレ等の水回りスペースで使用されるリモコンであって、リモコン本体１と、このリモコン本体１の上面部２２に形成された孔部２２ａ内で上下動する上面操作ボタン１０と、リモコン本体１の内部で孔部２２ａの下方に設けられ、水受けトレイとして機能する取付ベース１１とを備えており、孔部２２ａと上面操作ボタン１０との間の隙間を通ってリモコン本体１内部に浸入した水を取付ベース１１で受けることを特徴とする。【選択図】図７
2008095291.tif 000002
【特許請求の範囲】
【請求項１】
トイレ等の水回りスペースで使用されるリモコンであって、
リモコン本体と、
このリモコン本体の上面に形成された孔部内で上下動する操作ボタンと、
前記リモコン本体の内部で前記孔部の下方に設けられる水受けトレイとを備え、
前記孔部と前記操作ボタンとの間の隙間を通って前記リモコン本体内部に浸入した水を前記水受けトレイで受けることを特徴とするリモコン。
【請求項２】
前記水受けトレイは、前記操作ボタンの下方に配されて該操作ボタンが取り付けられる取付ベースであり、
前記取付ベースは、前記操作ボタンの下部を保持する略水平な平板状の保持板部と、この保持板部を囲うように当該保持板部の周縁に立設される立上り部とを含むことを特徴とする請求項１に記載のリモコン。
【請求項３】
前記リモコン本体の内部で前記取付ベースの下方に配される制御用基板をさらに備え、
前記取付ベースで受けた水を、前記制御用基板を避けつつ前記取付ベースから外部に誘導する誘導手段を設けたことを特徴とする請求項２に記載のリモコン。
【請求項４】
前記誘導手段は、
前記取付ベースに設けられ、前記取付ベースで受けた水を当該取付ベースの所定の端縁から排出する排水部と、
前記リモコン本体の内壁面に設けられ、前記取付ベースの端縁に向かって上がるように傾斜し、前記排水部より受けた水を前記リモコン本体の側端へと導く水受け樋と、
前記リモコン本体の下面に設けられ、前記水受け樋の下端から落下する水を前記リモコン本体の外部に排出する水抜き孔とを含むことを特徴とする請求項３に記載のリモコン。
【発明の詳細な説明】
【技術分野】
【０００１】
本発明は、トイレ等の水回りスペースで使用されるリモコンに関するものである。
【背景技術】
【０００２】
従来、例えばトイレ内に設置された水洗便器や温水洗浄便座装置等を遠隔操作するためのトイレ用リモコンが知られている。特許文献１には、トイレ内の壁面に取り付けられたトイレ用リモコンが開示されている。
【０００３】
このようなリモコンでは、リモコン本体の上面に便座用蓋の開閉動作や大小の流水操作を行うための操作ボタンが設けられているものがある。そして、前記ボタンは、リモコン本体上面に形成されたボタン用の孔部内で上下動するようになっている。
【特許文献１】特開２００６−２４９５号公報
【発明の開示】
【発明が解決しようとする課題】
【０００４】
トイレでの手洗い時の飛水や濡れた手でのボタン操作によって、リモコン本体上面のボタン用孔部とボタンとの間の隙間からリモコン本体内部に水が浸入することが考えられる。これにより、リモコン本体内部に配された制御用基板等の弱耐水性部品が濡れるおそれがある。
【０００５】
本発明は、上記のような課題を解決するためになされたものであり、リモコン本体内の制御用基板等の弱耐水性部品を水濡れから防ぐことが可能なリモコンを提供することを目的とする。
【課題を解決するための手段】
【０００６】
請求項１の発明は、トイレ等の水回りスペースで使用されるリモコンであって、リモコン本体と、このリモコン本体の上面に形成された孔部内で上下動する操作ボタンと、前記リモコン本体の内部で前記孔部の下方に設けられる水受けトレイとを備え、前記孔部と前記操作ボタンとの間の隙間を通って前記リモコン本体内部に浸入した水を前記水受けトレイで受けることを特徴とするものである。
【０００７】
請求項２の発明は、請求項１に記載のリモコンにおいて、前記水受けトレイは、前記操作ボタンの下方に配されて該操作ボタンが取り付けられる取付ベースであり、前記取付ベースは、前記操作ボタンの下部を保持する略水平な平板状の保持板部と、この保持板部を囲うように当該保持板部の周縁に立設される立上り部とを含むことを特徴とするものである。
【０００８】
請求項３の発明は、請求項２に記載のリモコンにおいて、前記リモコン本体の内部で前記取付ベースの下方に配される制御用基板をさらに備え、前記取付ベースで受けた水を、前記制御用基板を避けつつ前記取付ベースから外部に誘導する誘導手段を設けたことを特徴とするものである。
【０００９】
請求項４の発明は、請求項３に記載のリモコンにおいて、前記誘導手段は、前記取付ベースに設けられ、前記取付ベースで受けた水を当該取付ベースの所定の端縁から排出する排水部と、前記リモコン本体の内壁面に設けられ、前記取付ベースの端縁に向かって上がるように傾斜し、前記排水部より受けた水を前記リモコン本体の側端へと導く水受け樋と、前記リモコン本体の下面に設けられ、前記水受け樋の下端から落下する水を前記リモコン本体の外部に排出する水抜き孔とを含むことを特徴とするものである。
【発明の効果】
【００１０】
請求項１の発明によれば、例えば、濡れた手で操作ボタンを操作したり手洗い時の飛水で当該リモコンに水が掛かったりして、孔部と操作ボタンとの間の隙間から水がリモコン本体内部に浸入した場合でも、その水を水受けトレイで受けることができるので、リモコン本体内部に配される制御用基板等の弱耐水性部品を水濡れから防ぐことができる。
【００１１】
請求項２の発明によれば、操作ボタンを取り付ける取付ベースに水受けトレイとしての機能を持たせることで、取付ベースと水受けトレイとを個別に設ける場合に比べて、部品点数を削減することができる。また、孔部と操作ボタンとの間の隙間からリモコン本体内部に浸入した水を取付ベースの保持板部で受けるとともに、保持板部周縁の立上り部によって保持板部から水が零れ落ちるのを防ぐことができるので、孔部と操作ボタンとの間の隙間を通ってリモコン本体内部に浸入した水を取付ベースで確実に受けることができる。
【００１２】
請求項３の発明によれば、取付ベースの許容量を超える比較的多量の水が浸入してきたとしても、水が取付ベースから溢れて制御用基板に掛かることがない。
【００１３】
請求項４の発明によれば、取付ベースの許容量を大きく超えるような水が浸入してきたとしても、取付ベースで受けた水を、排水部、水受け樋および水抜き孔を通してリモコン本体の外部に円滑に排出することができるので、制御用基板が水に濡れることがない。
【発明を実施するための最良の形態】
【００１４】
以下、本発明の実施形態を図面に基づいて説明する。
【００１５】
図１は、本発明の一実施形態によるリモコンが設置されたトイレを示した図であり、図２〜図４は、図１に示したリモコンの全体構成を示した斜視図である。また、図５および図６は、リモコンの正面図および側断面図であり、図７および図８は、リモコンの後面カバーおよび取付ベースを示した図である。また、図９は、取付ベースに上面操作ボタンを取り付けた状態を示した部分断面図である。なお、図９では、上面操作ボタン１０以外の部材を断面で示している。
【００１６】
まず、図１を参照して、本実施形態のリモコン１００は、トイレＴ内に設置された水洗便器１０１や該水洗便器１０１に装着された温水洗浄便座装置（図示せず）等を遠隔操作するためのトイレ用リモコンであって、例えばトイレＴ内の壁面Ｗに取り付けられた状態で操作されるようになっている。このリモコン１００は、図２に示すように、前後幅（奥行）の小さい箱型のリモコン本体１を外枠として備えている。
【００１７】
リモコン本体１は、前面カバー２と、後面カバー３（図４参照）とを含んでいる。そして、前面カバー２は、前面部２１と、前面部２１の上端縁から後方に延びる上面部２２と、前面部２１の下端縁から後方に延びる下面部２３（図４参照）と、前面部２１の左右両側端縁から後方に延びつつ上面部２２および下面部２３を上下方向に連結する左右両側面部２４とにより構成されている。
【００１８】
前面部２１は、当該前面部２１の略上半分を占める前面上部２１ａと、前面上部２１ａの下端に連設されて該前面上部２１ａよりも一段後方（奥側）に配される前面下部２１ｂ（図３参照）とにより構成されている。そして、前面部２１には、上記前面下部２１ｂを覆う蓋部材４が取り付けられている。この蓋部材４は、前面下部２１ｂの下端近傍に設けられたヒンジ１４を支点に回動するように構成されており、これによって前面下部２１ｂに対して開閉可能となっている。
【００１９】
前面上部２１ａには、複数の前面操作ボタン６と液晶パネル７とが設けられている。これらの前面操作ボタン６は、例えば、お尻の洗浄や乾燥およびそれら動作の停止等の操作を行うためのものである。また、液晶パネル７には、当該リモコン１００の各種設定状況や現在時刻等が表示されるようになっている。
【００２０】
前面下部２１ｂには、複数の前面サブ操作ボタン８が設けられている。これらの前面サブ操作ボタン８は、主として、当該リモコン１００の各種動作環境の設定を行うためのものである。また、蓋部材４には、複数の蓋側操作ボタン９が設けられている。
【００２１】
上面部２２には、３つの上面操作ボタン１０（左から１０Ａ，１０Ｂ，１０Ｃ）が設けられている。これらの上面操作ボタン１０は、例えば便座用蓋の開閉動作や大小の流水動作を遠隔操作するためのものであり、当該上面部２２を貫通して形成された２つの孔部２２ａ（図９参照）内で上下動するようになっている。すなわち、左側の上面操作ボタン１０Ａが左側の孔部２２ａ内で上下動し、中央および右側の上面操作ボタン１０Ｂ，１０Ｃが右側の孔部２２ａ内でそれぞれ独立して上下動する。
【００２２】
また、上面操作ボタン１０は、図９に示すように、ボタン面部１０ａと、このボタン面部１０ａの下面側に形成されたボタン軸１０ｂおよび一対の取付フック部１０ｃとを有している。各ボタン面部１０ａは、対応する孔部２２ａ内で上下方向に移動可能なように、平面視で前記対応する孔部２２ａよりも僅かに小さくなるように設計されているため、孔部２２ａとボタン面部１０ａとの間には僅かな（ここでは、水等の液体が通過可能な程度に僅かなという意味。）隙間Ｓ１が存在している。また、３つの上面操作ボタン１０のうち右側の２つの上面操作ボタン１０Ｂ，１０Ｃのボタン面部１０ａ間にも上記隙間Ｓ１と同程度の隙間Ｓ２が存在している。従って、使用者が濡れた手で上面操作ボタン１０を操作したり手洗い時の飛水で当該リモコン１００に水が掛かったりした場合には、上記隙間Ｓ１，Ｓ２を通ってリモコン本体１内部に水が浸入することがある。
【００２３】
この上面操作ボタン１０では、ボタン面部１０ａが押し下げられてボタン軸１０ｂが下降されることによって、リモコン本体１内の図略のスイッチのオンオフが切り替えられるようになっている。また、上面部２２の左右両側端には、赤外線送信用窓２２ｂが設けられている。
【００２４】
後面カバー３は、図４および図７に示すように、フック用係合凹部３１と、電池ボックス用切欠き３２（図７参照）と、メイン基板支持部３３と、サブ基板支持部３４と、ネジ挿入孔３５とを含んでいる。
【００２５】
フック用係合凹部３１は、トイレＴ内の壁面Ｗに固定された図略のフック部材に係合することで、当該リモコン１００をトイレＴの壁面Ｗに取り付けるために設けられている。また、電池ボックス用切欠き３２には、電池ボックス用蓋５（図４参照）を嵌め込むようになっている。また、メイン基板支持部３３およびサブ基板支持部３４は、それぞれ、メイン基板（制御用基板）１２およびサブ基板（制御用基板）１３をリモコン本体１内部で保持するためのものである。また、ネジ挿入孔３５は、後面カバー３を前面カバー２にネジ止めする際に図略のネジを挿入するためのものである。
【００２６】
また、後面カバー３の前側の壁面上部には、取付ベース１１が取り付けられている。この取付ベース１１は、後面カバー３を前面カバー２に固定してリモコン本体１を組み上げた際に、３つの上面操作ボタン１０の下方に位置するように配されており、前記３つの上面操作ボタン１０が取り付けられるように構成されている。
【００２７】
また、本実施形態では、取付ベース１１は、リモコン本体１の組上げ状態では上面部２２の２つの孔部２２ａの下方にも位置しており、上面部２２の孔部２２ａを通って浸入してきた水を受ける水受けトレイとして機能するようにも構成されている。
【００２８】
取付ベース１１は、図７および図８に示すように、保持板部１１ａと、立上り部１１ｂと、ガイド溝１１ｃと、係合部１１ｄとを有している。
【００２９】
保持板部１１ａは、左右方向に長尺で略水平な平板状に形成されている。この保持板部１１ａには、各上面操作ボタン１０のボタン軸１０ｂが貫挿されて該ボタン軸１０ｂを上下動可能に保持するボタン軸挿入部１１ｆと、各上面操作ボタン１０の一対の取付フック部１０ｃに係合して上面操作ボタン１０の保持板部１１ａからの抜け止めとして機能するフック係合孔部１１ｇと、各上面操作ボタン１０の下降端位置を規制する当て部１１ｅとが形成されている。なお、図示は省略するが、上面操作ボタン１０を上方に付勢するための圧縮コイルバネ等の押上げ部材がボタン面部１０ａの下面側の適所に配されている。
【００３０】
上記ボタン軸挿入部１１ｆおよびフック係合孔部１１ｇは、図９に示すように、その上端が保持板部１１ａの上面よりも上方に突出するように形成されており、これによって取付ベース１１上の水がボタン軸挿入部１１ｆおよびフック係合孔部１１ｇを通って下方に垂れ落ちることがないようになっている。
【００３１】
立上り部１１ｂは、保持板部１１ａを前方および左右両側方から囲うように当該保持板部１１ａの周縁に立設されている。この立上り部１１ｂによって、保持板部１１ａで受けた水が堰き止められ、取付ベース１１から垂れ落ちないようになっている。
【００３２】
ガイド溝１１ｃは、保持板部１１ａの後方に左右方向に延びるように連設されており、保持板部１１ａで受けた水の量が比較的多い場合に、その水を取付ベース１１の左右両側端縁から排出するために設けられている。
【００３３】
係合部１１ｄは、当該取付ベース１１を後面カバー３の壁面に取り付けるためのものであり、ガイド溝１１ｃのさらに後方に連設されている。
【００３４】
また、後面カバー３の前側の壁面には、一対の水受け樋３６が上記取付ベース１１を挟むように一体的に形成されている。これらの水受け樋３６は、後面カバー３の壁面に対して垂直に前方に延びた後に上方に折れ曲がる断面形状を有するとともに、取付ベース１１の側端縁に向かって上がるように傾斜しており、ガイド溝１１ｃから排出された水を受けてその水をリモコン本体１の左右両側端へと導くために設けられている。なお、後面カバー３とは別体の水受け樋３６を後面カバー３に取り付けるようにしてもよい。
【００３５】
取付ベース１１および一対の水受け樋３６は、図７に示すように、リモコン本体１内の各基板１２，１３の上方に配されており、各水受け樋３６の外側端部（下端）は、各基板１２，１３よりも外側方に位置している。これにより、取付ベース１１上の水を各基板１２，１３を避けつつリモコン本体１の左右両側端まで誘導することができる。
【００３６】
下面部２３の左右両側端には、図４に示すように、それぞれ、下面部２３を貫通する水抜き孔２３ａが形成されている。この水抜き孔２３ａは、水受け樋３６の下端から落下する水をリモコン本体１の外部に排出するために設けられている。なお、本実施形態では、取付ベース１１のガイド溝１１ｃと水受け樋３６と水抜き孔２３ａとによって本発明の「誘導手段」が構成されている。
【００３７】
この実施形態のリモコン１００では、上記隙間Ｓ１，Ｓ２を通ってリモコン本体１内部に浸入した水を、リモコン本体１内部に配された取付ベース１１で受けるようになっている。このとき、上記浸入水の量が比較的少ない場合には、その浸入水が取付ベース１１上で自然に蒸発することとなる。一方、上記浸入水の量が比較的多い場合には、取付ベース１１上の浸入水をガイド溝１１ｃおよび水受け樋３６によってリモコン本体１の左右両側端に誘導し（図８参照）、さらに、水受け樋３６の下端から落下した水を、下面部２３の水抜き孔２３ａからリモコン本体１外部へと排出する（図７および図４参照）ようになっているため、リモコン本体１内部の各基板１２，１３が水に濡れることがない。
【００３８】
本実施形態によれば、例えば、濡れた手で上面操作ボタン１０を操作したり手洗い時の飛水で当該リモコン１００に水が掛かったりして、上面部２２の孔部２２ａと上面操作ボタン１０のボタン面部１０ａとの間の隙間Ｓ１や、上面操作ボタン１０Ｂ，１０Ｃのボタン面部１０ａ間の隙間Ｓ２から水がリモコン本体１内部に浸入した場合でも、その水を取付ベース１１で受けることができるので、リモコン本体１内部に配される各基板１２，１３やその他の弱耐水性部品を水濡れから防ぐことができる。
【００３９】
また、本実施形態によれば、上面操作ボタン１０を取り付ける取付ベース１１に、浸入した水を受ける水受けトレイとしての機能を持たせることで、取付ベース１１とは別に水受けトレイを設ける場合に比べて、部品点数を削減することができる。また、孔部２２ａとボタン面部１０ａとの間の隙間Ｓ１や、上面操作ボタン１０Ｂ，１０Ｃのボタン面部１０ａ間の隙間Ｓ２からリモコン本体１内部に浸入した水を取付ベース１１の保持板部１１ａで受けるとともに、保持板部１１ａ周縁の立上り部１１ｂによって保持板部１１ａから水が零れ落ちるのを防ぐことができるので、上記隙間Ｓ１，Ｓ２を通ってリモコン本体１内部に浸入した水を取付ベース１１で確実に受けることができる。
【００４０】
また、本実施形態によれば、取付ベース１１の許容量を超える比較的多量の水が浸入してきたとしても、水が取付ベース１１から溢れて各基板１２，１３に掛かることがない。
【００４１】
また、本実施形態によれば、取付ベース１１の許容量を大きく超えるような水が浸入してきたとしても、取付ベース１１で受けた水を、ガイド溝１１ｃ、水受け樋３６および水抜き孔２３ａを通してリモコン本体１の外部に円滑に排出することができるので、各基板１２，１３が水に濡れることがない。
【００４２】
なお、上記実施形態では、本発明の「リモコン」を、トイレに設置されるリモコン１００に適用する例について示したが、これに限らず、キッチンや洗面室等の水回りスペースに設置されるリモコンにも適用可能である。
【００４３】
また、上記実施形態では、上面操作ボタン１０を取り付ける取付ベース１１に、浸入水を受ける水受けトレイとしての機能を持たせたが、これに限らず、取付ベース１１とは別に水受けトレイを設けてもよい。
【図面の簡単な説明】
【００４４】
【図１】本発明の一実施形態によるリモコンが設置されたトイレを示した図である。
【図２】本発明の一実施形態によるリモコンの全体構成を示した斜視図である。
【図３】図２に示したリモコンにおいて蓋部材を開けた状態を示した斜視図である。
【図４】図２に示したリモコンを後方斜め下側から見た状態を示した斜視図である。
【図５】図２に示したリモコンの正面図である。
【図６】図２に示したリモコンの側断面図である。
【図７】リモコンの後面カバーおよび取付ベースを示した斜視図である。
【図８】図７に示した後面カバーおよび取付ベースの上面図である。
【図９】取付ベースに上面操作ボタンを取り付けた状態を示した部分断面図である。
【符号の説明】
【００４５】
１  リモコン本体
１０  上面操作ボタン（操作ボタン）
１１  取付ベース（水受けトレイ）
１１ａ  保持板部
１１ｂ  立上り部
１１ｃ  ガイド溝（排水部，誘導手段）
１２  メイン基板（制御用基板）
１３  サブ基板（制御用基板）
２２  上面部
２２ａ  孔部
２３  下面部
２３ａ  水抜き孔（誘導手段）
３６  水受け樋（誘導手段）
１００  リモコン
Ｔ  トイレ
【図１】
2008095291.tif 000003
【図２】
2008095291.tif 000004
【図３】
2008095291.tif 000005
【図４】
2008095291.tif 000006
【図５】
2008095291.tif 000007
【図６】
2008095291.tif 000008
【図７】
2008095291.tif 000009
【図８】
2008095291.tif 000010
【図９】
2008095291.tif 000011